(57)【要約】【課題】テストの準備作業を効率的に行うことができる電子機器、およびテスト用治具を提供する。【解決手段】電池収納部２と、回路基板５上のテスト用端子６と、電池収納部２の底面にテスト用端子６を露出させる着脱可能な内蓋部材とを備える電子機器（機器本体１）であって、電池収納部２の側壁内面に、内蓋部材を取り外し、テスト用端子６を露出させた状態で、テスト用治具２１を電池収納部２に固定するための係止孔１２・１８を形成する。また、電池収納部２の底板を外すことにより、回路基板５上のテスト用端子６が露出する構成の電子機器（機器本体１）に適用可能なテスト用治具２１であって、電池収納部２に装着可能で、複数のテスト用探針２２を保持する本体部と、電池収納部２の内壁に形成された係止孔１２・１８に係止される係止爪４５・４６とを具備する。【選択図】図３
2007088590.tif 000002
【特許請求の範囲】
【請求項１】
電池を着脱可能に収納できる電池収納部と、
回路基板上に設けられたテスト用端子と、
前記電池収納部の底面にテスト用端子を露出させる着脱可能な内蓋部材とを備える電子機器であって、
前記電池収納部の側壁内面に、前記内蓋部材を取り外し、前記テスト用端子を露出させた状態で、テスト用治具を前記電池収納部に固定するための係止孔を形成したことを特徴とする電子機器。
【請求項２】
電池収納部の底板を外すことにより、回路基板上に設けられたテスト用端子が露出する構成の電子機器に適用可能なテスト用治具であって、
前記電池収納部に装着可能で、複数のテスト用探針と電源供給用の端子とを保持する本体部と、
該本体部に設けられ、前記電池収納部の内壁に形成された係止孔に係止される係止爪とを具備したことを特徴とするテスト用治具。
【発明の詳細な説明】
【技術分野】
【０００１】
本発明は、電池を電源とし、且つテスト用端子を有する電子機器、およびテスト用治具に関する。
【背景技術】
【０００２】
電子機器には、機器の機能をテストするためのテスト用端子が設けられている。テストは、製品の出荷時や修理を依頼された際に行われるので、製品の完成状態或いはそれに近い状態で行えるのが望ましい。
従来の電子機器には、このような要求を満たすものとして、電池を着脱可能に収納できる電池収納部の底面に、ケース内に内蔵された回路基板に設けられているテスト用端子を露出させるための窓（開口部）を設けるとともに、電池収納部の底面に着脱可能な内蓋を設け、内蓋を取り外すだけで回路基板に設けられているテスト用端子を露出させることができるようにしたものがある（特許文献１参照）。
【特許文献１】特開平８−１９０３３号公報
【発明の開示】
【発明が解決しようとする課題】
【０００３】
ところで、特許文献１には、テスト用端子の構造及びテスト時の電源供給などについての具体的な説明はないが、図面からすると、テスト用端子は回路基板から突出しているので、コネクタタイプの端子であると思われ、また、テスト時の電源供給はケーブルコネクタ付きの電池１２で行う構成であると思われる。
従って、特許文献１に記載の構成では、テストを行うためには、内蓋を取り外した後に、デバッガーに接続されたケーブルのコネクタをテスト用端子に接続し、また、電池のケーブルコネクタを電源コネクタに接続しなければならないので、作業性が悪い、という欠点がある。
【０００４】
本発明の課題は、テストの準備作業を効率的に行うことができる電子機器、およびテスト用治具を提供することである。
【課題を解決するための手段】
【０００５】
以上の課題を解決するため、請求項１に記載の発明は、例えば図１から図６に示すように、電池１３を着脱可能に収納できる電池収納部２と、回路基板５上に設けられたテスト用端子６と、前記電池収納部２の底面にテスト用端子６を露出させる着脱可能な内蓋部材３とを備える電子機器であって、前記電池収納部２の側壁内面に、前記内蓋部材３を取り外し、前記テスト用端子６を露出させた状態で、テスト用治具２１を前記電池収納部２に固定するための係止孔１２・１８を形成したことを特徴とする。
【０００６】
請求項１に記載の発明によれば、電子機器において、電池収納部の内蓋部材を取り外し、テスト用端子を露出させた状態で、テスト用治具の係止爪を電池収納部の側壁内面に形成した係止孔に係止することにより、テスト用治具を電子機器の電池収納部に固定できる。
【０００７】
請求項２に記載の発明は、例えば図１から図６に示すように、電池収納部２の底板３を外すことにより、回路基板５上に設けられたテスト用端子６が露出する構成の電子機器に適用可能なテスト用治具２１であって、前記電池収納部２に装着可能で、複数のテスト用探針２２と電源供給用の端子２４とを保持する本体部と、該本体部に設けられ、前記電池収納部２の内壁に形成された係止孔１２・１８に係止される係止爪４５・４６とを具備したことを特徴とする。
【０００８】
請求項２に記載の発明によれば、テスト用治具において、複数のテスト用探針と電源供給用の端子とを保持する本体部に設けられた係止爪を、電子機器の電池収納部の内壁に形成された係止孔に係止することにより、テスト用治具を電子機器の電池収納部に装着できる。
【発明の効果】
【０００９】
本発明によれば、テストの準備作業は、電子機器の電池収納部の内蓋部材を取り外し、電池収納部にテスト用治具を装着するだけでよく、テストの準備作業を効率的に行うことができる。
【発明を実施するための最良の形態】
【００１０】
以下、図を参照して本発明を実施するための最良の形態を詳細に説明する。
（実施形態１）
図１は本発明を適用した電子機器として第１実施形態の携帯電話機を示したもので、携帯電話機の機器本体１には、背面側に開口する電池収納部２が設けられている。電池収納部２は、その底面に位置して底板をなす内蓋部材３が機器本体１に対しネジ４により着脱可能となっている。
図示のように、内蓋部材３を取り外すと、回路基板５に形成された複数箇所のテスト用端子６が露出状態となる。なお、図中、７は内蓋部材３に形成されたネジ挿通孔、８は回路基板５に形成されたネジ挿通孔、９は機器本体１の背面側に設けられた報知用スピーカ、１０は機器本体１の上端部に備えられたアンテナである。
【００１１】
また、電池収納部２の側壁の一端側には、電源端子（コネクタ）１１が設けられるとともに、その両側方に電池パック１３を係止する係止孔１２が形成されている。
そして、電池収納部２に収納される電池パック１３の一端側には、図２に示されるように、電池端子１４が設けられるとともに、その両側方に係止爪１５が形成されている。なお、電池端子１４において、両側に位置する２つの端子は電源端子とグランド端子であり、中央の端子はサーミスタ（温度検出素子）用の端子である。
【００１２】
電池パック１３は、機器本体１の電池収納部２において、係止爪１５を係止孔１２に挿入するとともに、電池端子１４を電源端子１１に合わせた状態で、機器本体１に組み付けられたロック部材１６により固定状態に保持される。すなわち、ロック部材１６をスライドさせると、このロック部材１６に一体に形成されている図略の係止爪が、電池パック１３の他端側に形成した係止孔１７に挿入してロックされる。
また、機器本体１の電池収納部２には、側壁の両側にテスト用治具２１を係止する係止孔１８がさらに形成されている。
【００１３】
図３は携帯電話機（機器本体１）とテスト用治具２１との関係を示したもので、テスト用治具２１は、機器本体１の電池収納部２に収まるブロック形状の本体部である。
テスト用治具２１には、図４にも示すように、機器本体１の電池収納部２内の各テスト用端子６にそれぞれ対応する複数本のテスト用探針、すなわち、プローブ２２が備えられている。プローブ２２は、筒にバネで保持されている先端（下端）が筒から所定量突出しているもので、このプローブ２２がテスト用端子６に当たるのを目視で確認できるように、テスト用治具２１は透明な材質で形成されている。
各プローブ２２は電気コード２３を介してデバッガー接続用の中継基板３１に接続されている。中継基板３１には、図示しないデバッガーの接続線用のコネクタ３２とスイッチ３３が備えられている。
【００１４】
さらに、テスト用治具２１には、機器本体１の電池収納部２内の電源端子１１に対応する電源供給用端子２４が備えられている。電源供給用端子２４は、図略の電気コードを介して図示しない外部電源に接続されている。なお、電源供給用端子２４において、電池パック１３のサーミスタ用端子に対応する中央の端子は携帯電話機（機器本体１）をテストモードに設定するための端子である。
【００１５】
そして、テスト用治具２１には、電源供給用端子２４側の端面およびその両側面を囲む形状の固定用金具４１が複数のネジ４２で取り付けられている。固定用金具４１は、図示のように、テスト用治具２１の電源供給用端子２４側の端面およびその両側面を囲む形状の金属板により形成されていて、テスト用治具２１の両側面との間には、図４（ｂ）に示すように、所定の空間が確保されている。
この固定用金具４１には、テスト用治具２１の電源供給用端子２４側の端面に位置する両側部に下方へ延びる２本の延出片４３が形成されるとともに、テスト用治具２１の両側面に位置する先端部に下方へ延びる２本の延出片４４が形成されている。
さらに、延出片４３の下端部には、機器本体１の電池収納部２内の各係止孔１２にそれぞれ対応する係止爪４５が形成されている。また、延出片４４の下端部には、機器本体１の電池収納部２内の各係止孔１８にそれぞれ対応する係止爪４６が形成されている。
【００１６】
次に、図５および図６は携帯電話機（機器本体１）にテスト用治具２１を装着した状態を示したものである。
すなわち、テスト用治具２１は、機器本体１の電池パック１３および内蓋部材３を取り外した電池収納部２において、固定用金具４１の電源供給用端子２４側の端面に位置する各係止爪４５を各係止孔１２にそれぞれ挿入する。そして、固定用金具４１の両側面に位置する側の各係止爪４６を各係止孔１８にそれぞれ挿入することで、電池収納部２に装着した状態に保持される。なお、固定用金具４１の両側面に位置する側の各係止爪４６は、図４（ｄ）に示すように、金属板の両側面を手指で押して一旦内側に曲げてから離すことにより、各係止孔１８にそれぞれ挿入する。
【００１７】
以上による機器本体１の電池収納部２に対するテスト用治具２１の装着状態において、電池収納部２の底面に露出した各テスト用端子６に対し、テスト用治具２１の各プローブ２２の下端がそれぞれ接触した状態になるとともに、電池収納部２の側壁に位置した電源端子１１に対し、テスト用治具２１の電源供給用端子２４が接触した状態になる。
このように、機器本体１の電池収納部２にテスト用治具２１を装着し、各テスト用端子６に各プローブ２２をそれぞれ接続するとともに、電源端子１１に電源供給用端子２４を接続して、テストの準備作業を効率的に行うことができる。
【００１８】
この状態で、電源供給用端子２４が図略の電気コードを介して接続されている図示しない外部電源の電源スイッチをＯＮ操作し、続いて、各プローブ２２が電気コード２３を介して接続された中継基板３１のスイッチ３３をＯＮ操作することにより、コネクタ３２に接続された図示しないデバッガーとプローブ２２とが電気的に接続され、所定の機能テストが行われる。
【００１９】
テスト終了後は、例えばスイッチ３３のＯＦＦ操作、電源供給の遮断操作、コネクタ３２からのデバッガー接続線の抜き操作などを行った後、テスト用治具２１を電池収納部２から取り外す。
すなわち、図４（ｄ）に示すように、固定用金具４１の金属板の両側面を手指で押して内側に曲げることにより、各係止孔１８から各係止爪４６をそれぞれ抜いて、電池収納部２からテスト用治具２１を取り外す。
その後、電池収納部２の底面に内蓋部材３をネジ４により固定する。
【００２０】
（実施形態２）
図７は本発明を適用した電子機器として第２実施形態の携帯電話機を示したもので、前述した実施形態１と同様、１は機器本体、２は電池収納部、３は内蓋部材（底板）、４はネジ、５は回路基板、６はテスト用端子、７はネジ挿通孔、８はネジ挿通孔、９は報知用スピーカ、１０はアンテナ、１２は係止孔、１３は電池パック（電池）、１６はロック部材、１７は係止孔、１８は係止孔である。
そして、この実施形態において、機器本体１は、電池収納部２の底部側に電源端子１９を設けている。すなわち、電池収納部２のロック部材１６側の底部中央に、図９に示すように、電源端子（スプリングコネクタ）１９が設けられている。
【００２１】
このため、電池パック１３は、係止爪１５と反対側の端部において、電池端子１４を、図７に示したように、中央で下向きに開口する切欠部１３ａの上面に設けて、電源端子１９の位置に対応させている。
なお、切欠部１３ａの両側方には、ロック部材１６に一体に形成された図略の２本の係止爪にそれぞれ対応する係止孔１７が形成されている。
【００２２】
図８は携帯電話機（機器本体１）とテスト用治具２１との関係を示したもので、前述した実施形態１と同様、２１はテスト用治具（本体部）、２２はテスト用探針（プローブ）、３１は中継基板、４１は固定用金具、４２はネジ、４３・４４は延出片、４５・４６は係止爪である。
この実施形態において、テスト用治具２１は、固定用金具４１のネジ４２による取付部と反対側の端部において、図示のように、中央で下向きに開口する切欠部２５の上面に、電源供給用端子２６を設けて、電源端子１９の位置に対応させている。
【００２３】
次に、図９は携帯電話機（機器本体１）にテスト用治具２１を装着した状態を示したものである。
すなわち、前述した実施形態１と同様、テスト用治具２１は、機器本体１の電池パック１３および内蓋部材３を取り外した電池収納部２において、固定用金具４１の電源供給用端子２６と反対側の端面に位置する各係止爪４５を各係止孔１２にそれぞれ挿入する。そして、固定用金具４１の両側面に位置する側の各係止爪４６を各係止孔１８にそれぞれ挿入することで、電池収納部２に装着した状態に保持される。
【００２４】
以上による機器本体１の電池収納部２に対するテスト用治具２１の装着状態において、電池収納部２の底面に露出した各テスト用端子６に対し、テスト用治具２１の各プローブ２２の下端がそれぞれ接触した状態になるとともに、電池収納部２のロック部材１６側の底部に位置した電源端子１９に対し、テスト用治具２１の下向きに開口する切欠部２５の上面に設けた電源供給用端子２６が接触した状態になる。
テストの準備作業並びに機能テストについては前述した実施形態１と同様である。
【００２５】
なお、以上の実施形態においては、電子機器として携帯電話機としたが、本発明はこれに限定されるものではなく、ノート型パーソナルコンピュータ、デジタルカメラ、ＰＤＡ（Personal Digital Assistance）、電子手帳、携帯型無線機、その他の電子機器であっても良い。
また、テスト用治具の形状等も任意であり、その他、具体的な細部構造等についても適宜に変更可能であることは勿論である。例えば、電池収納部の内蓋部材は、容易に取り外せる構造であれば良く、内蓋部材を樹脂性の板やシートにして回路基板上のテスト用端子が形成されていない領域に両面テープで貼り付ける構成にしたり、内蓋部材を可撓性を有する樹脂シートにするとともにその外縁部の係止孔１２や１８に対応する位置に舌片を設け、これらの舌片を電池収納部の係止孔１２や１８に嵌入する構成であってよい。
【図面の簡単な説明】
【００２６】
【図１】本発明を適用した電子機器の第１実施形態を示すもので、携帯電話機の構成を示した分解斜視図である。
【図２】図１の電池パックを電池端子側から見た斜視図である。
【図３】図１の携帯電話機とテスト用治具との関係を示した分解斜視図である。
【図４】図３のテスト用治具の三面図（側面図（ａ）、平面図（ｂ）、正面図（ｃ））と部分拡大図（ｄ）である。
【図５】図４のテスト用治具を携帯電話機に装着した状態での透視側面図である。
【図６】図５と同じくテスト用治具を携帯電話機に装着した状態での平面図である。
【図７】本発明を適用した電子機器の第２実施形態を示すもので、携帯電話機の構成を示した分解斜視図である。
【図８】図７の携帯電話機とテスト用治具との関係を示した分解斜視図である。
【図９】図８のテスト用治具を携帯電話機に装着した状態での透視側面図である。
【符号の説明】
【００２７】
１  機器本体
２  電池収納部
３  内蓋部材（底板）
４  ネジ
５  回路基板
６  テスト用端子
７  ネジ挿通孔
８  ネジ挿通孔
１１  電源端子（コネクタ）
１２  係止孔
１３  電池パック（電池）
１３ａ  切欠部
１４  電池端子
１５  係止爪
１６  ロック部材
１７  係止孔
１８  係止孔
１９  電源端子（スプリングコネクタ）
２１  テスト用治具（本体部）
２２  テスト用探針（プローブ）
２４  電源供給用端子
２５  切欠部
２６  電源供給用端子
３１  中継基板
４１  固定用金具
４２  ネジ
４３・４４  延出片
４５・４６  係止爪
【図１】
2007088590.tif 000003
【図２】
2007088590.tif 000004
【図３】
2007088590.tif 000005
【図４】
2007088590.tif 000006
【図５】
2007088590.tif 000007
【図６】
2007088590.tif 000008
【図７】
2007088590.tif 000009
【図８】
2007088590.tif 000010
【図９】
2007088590.tif 000011